【手続補正書】
【提出日】平成18年11月22日(2006.11.22)
【手続補正１】
【補正対象書類名】明細書
【補正対象項目名】発明の名称
【補正方法】変更
【補正の内容】
【発明の名称】アクティブマトリクス型表示装置
【手続補正２】
【補正対象書類名】特許請求の範囲
【補正対象項目名】全文
【補正方法】変更
【補正の内容】
【特許請求の範囲】
【請求項１】
駆動対象回路のノードに信号線を介して信号電流を供給する電流駆動回路を有するアクティブマトリクス型表示装置であって、
前記ノード及び前記信号線にプリチャージ電圧を供給するプリチャージ回路と、
前記信号電流を前記プリチャージ回路に供給して前記プリチャージ電圧を発生させる発生手段と、
前記信号電流の前記駆動対象回路への供給に先立って前記ノード及び前記信号線に前記プリチャージ電圧を供給する供給手段とを有することを特徴とするアクティブマトリクス型表示装置。
【請求項２】
駆動対象回路のノードに信号線を介して信号電流を供給する電流駆動回路を有するアクティブマトリクス型表示装置であって、
前記ノードにプリチャージ電圧を供給するプリチャージ回路と、
前記信号電流に対応する電流を前記プリチャージ回路に供給して前記プリチャージ電圧を予め発生させておき、前記信号電流の前記駆動対象回路への供給に先立って前記ノード及び信号線に前記プリチャージ電圧を供給する供給手段とを有することを特徴とするアクティブマトリクス型表示装置。
【請求項３】
請求項１又は請求項２において、
前記駆動対象回路は第１の駆動素子を含み、前記プリチャージ回路は第２の駆動素子を含み、
前記第１及び前記第２の駆動素子は同サイズ又はそれに準ずるサイズであることを特徴とするアクティブマトリクス型表示装置。
【請求項４】
請求項１乃至請求項３のいずれか一において、
前記プリチャージ電圧をインピーダンス変換用アンプを介して前記ノード及び前記信号線に供給する手段を有することを特徴とするアクティブマトリクス型表示装置。
【請求項５】
請求項１乃至請求項４のいずれか一において、
前記プリチャージ電圧を複数設定する複数設定手段と、
前記信号電流の大きさに応じて選択的に前記ノード及び前記信号線に前記プリチャージ電圧を供給する選択供給手段を有することを特徴とするアクティブマトリクス型表示装置。
【請求項６】
請求項１乃至請求項５のいずれか一において、
前記プリチャージ電圧を前記ノード及び前記信号線に供給するプリチャージ期間Ｔｂを前記信号線の配線抵抗ＲＬと寄生容量ＣＬとに基づき
Ｔｂ＝ＲＬ×ＣＬ
に設定する手段を有することを特徴とするアクティブマトリクス型表示装置。
【請求項７】
請求項６に記載の前記信号電流の前記駆動対象回路への供給期間Ｔａが
Ｔａ＜Ｔb
の関係にある場合には、
Ｔａ＝Ｔb
に設定する手段を有することを特徴とするアクティブマトリクス型表示装置。
【請求項８】
画像情報を信号電流として伝送する信号線と、前記信号電流に比例する駆動電流を電源線から供給する第１の駆動素子とを含む画素回路と、
前記信号電流を前記信号線に供給する画像信号入力電流源を含むソースドライバ回路とを具備したアクティブマトリクス型表示装置において、
前記信号電流を前記信号線に供給するに先立って、前記信号線をプリチャージするプリチャージ回路を前記ソースドライバ回路に内蔵したことを特徴とするアクティブマトリクス型表示装置。
【請求項９】
請求項８において、
前記プリチャージ回路は、前記画像信号入力電流源と前記電源線との間に選択的に接続され前記信号電流に応じたプリチャージ電圧を出力する第２の駆動素子を含むことを特徴とするアクティブマトリクス型表示装置。
【請求項１０】
請求項８又は請求項９において、
前記プリチャージ電圧をインピーダンス変換用アンプを介して前記信号線に供給する手段を有することを特徴とするアクティブマトリクス型表示装置。
【請求項１１】
画像情報を信号電流として伝送する信号線と、
前記信号電流に比例する駆動電流を電源線から供給する第１の駆動素子とを含む画素回路と、
前記信号電流を前記信号線に供給する画像信号入力電流源を含むソースドライバ回路とを具備したアクティブマトリクス型表示装置において、
前記信号電流を前記信号線に供給するに先立って、前記信号線をプリチャージするプリチャージ回路を前記ソースドライバ回路に内蔵し、
前記プリチャージ回路は、前記画像信号入力電流源と前記電源線との間に選択的に接続され前記信号電流に応じたプリチャージ電圧を出力する第２の駆動素子を含み、
前記第１及び前記第２の駆動素子は同サイズ又はそれに準ずるサイズであることを特徴とするアクティブマトリクス型表示装置。
【請求項１２】
請求項８乃至請求項１１のいずれか一において、
前記プリチャージ電圧を、前記第１又は前記第２の駆動素子に前記信号電流を供給した時の定常状態下の電圧に等しい値又はそれに準ずる値に設定する手段を有することを特徴とするアクティブマトリクス型表示装置。
【請求項１３】
駆動対象回路と、
プリチャージ回路と、
前記駆動対象回路に前記駆動対象回路に接続された配線を介して信号電流を入力する電流源回路と、
前記駆動対象回路と前記プリチャージ回路との接続を制御する手段と、
前記駆動対象回路と前記電流源回路との接続を制御する手段と、
前記プリチャージ回路から出力される信号を増幅して電圧を出力する手段とを有する電流駆動回路とを有することを特徴とするアクティブマトリクス型表示装置。
【請求項１４】
駆動対象回路と、
プリチャージ回路と、
前記駆動対象回路に前記駆動対象回路に接続された配線を介して信号電流を入力する電流源回路と、
前記駆動対象回路と前記プリチャージ回路との接続を制御する手段と、
前記駆動対象回路と前記電流源回路との接続を制御する手段とを有し、前記プリチャージ回路は複数の電圧値から選択されたプリチャージ電圧を出力することを特徴とする電流駆動回路を有することを特徴とするアクティブマトリクス型表示装置。
【請求項１５】
駆動対象回路と、
プリチャージ回路と、
前記駆動対象回路に前記駆動対象回路に接続された配線を介して信号電流を入力する電流源回路と、
前記駆動対象回路と前記プリチャージ回路との接続を制御する手段と、
前記駆動対象回路と前記電流源回路との接続を制御する手段と、
前記プリチャージ回路から出力される信号を増幅する手段とを有し、前記プリチャージ回路は複数の電圧値から選択されたプリチャージ電圧を出力することを特徴とする電流駆動回路を有することを特徴とするアクティブマトリクス型表示装置。
【請求項１６】
請求項１３乃至請求項１５のいずれか一において、
前記駆動対象回路は第１のトランジスタを有し、前記プリチャージ回路は第２のトランジスタを有することを特徴とするアクティブマトリクス型表示装置。
【請求項１７】
請求項１６において、
前記第１のトランジスタのチャネル幅Ｗとチャネル長Ｌとの比と、前記第２のトランジスタのチャネル幅Ｗとチャネル長Ｌの比が概ね等しいことを特徴とするアクティブマトリクス型表示装置。
【請求項１８】
請求項１３乃至請求項１５のいずれか一において、
前記プリチャージ電圧を前記配線に供給するプリチャージ期間Ｔｂ、前記配線の抵抗ＲＬと寄生容量ＣＬを、
Ｔｂ=ＲＬ×ＣＬ
に設定する手段を有することを特徴とするアクティブマトリクス型表示装置。
【請求項１９】
請求項１３乃至請求項１５のいずれか一に記載のアクティブマトリクス型表示装置において、前記駆動対象回路を２値の信号電圧で駆動する手段を有することを特徴とするアクティブマトリクス型表示装置。
【請求項２０】
請求項１３乃至請求項１５のいずれか一において、前記駆動対象回路はアクティブマトリクス型表示装置の画素内に設置され、前記プリチャージ回路及び前記電流源回路は前記アクティブマトリクス型表示装置のソースドライバ回路内に設置されていることを特徴とするアクティブマトリクス型表示装置。
【請求項２１】
請求項１３乃至請求項１５のいずれか一において、前記駆動対象回路はデジタル電圧・アナログ電流変換回路に設置され、前記プリチャージ回路と前記電流源回路はリファレンス電流源回路に設置されていることを特徴とするアクティブマトリクス型表示装置。
【請求項２２】
請求項１３乃至請求項１５のいずれか一において、前記プリチャージ回路はトランジスタを有し、前記トランジスタのゲートとドレインは接続されていることを特徴とするアクティブマトリクス型表示装置。